(57)【要約】【課題】放熱効率を向上し外装ケース表面の温度上昇を一定とする。【解決手段】部品実装面１３Ａに、コンデンサ１４、トランス１５、スイッチング素子１６が実装され半田面１３Ｂに半田付けされたプリント配線基板１０が外装ケース１１，１２によって覆われてなるＡＣアダプタにおいて、発熱性素子であるスイッチング素子１６の放熱を促進するように放熱板１７を設ける。放熱板１７には、外装ケース裏面側に向かって凸形状となるような離間凸部１８を型押し等の成形加工によって設ける。【選択図】  図１
2004266080.tif 000002
【特許請求の範囲】
【請求項１】
外装ケースと、
部品実装面と半田面とを有するプリント基板と、
上記プリント基板の部品実装面に実装され、裏面の半田面に半田付けされる発熱性素子と、
上記外装ケースの内部形状と略同形状を有し上記発熱性素子が発する熱を放熱する放熱板と、
上記外装ケース及び上記放熱板に接触し且つ該外装ケースと放熱板とを所定距離離間する離間部材と
を備えるＡＣアダプタ。
【請求項２】
上記離間部材は、上記放熱板が上記外装ケース側に型押しされてなる複数の凸状部であって、上記放熱板表面に均一に設けられることを特徴とする請求項１記載のＡＣアダプタ。
【請求項３】
上記離間部材は、上記外装ケース内壁に均一に設けられた複数の凸状部であることを特徴とする請求項１記載のＡＣアダプタ。
【請求項４】
上記離間部材は、上記放熱板と上記外装ケースとを固定する接着剤であることを特徴とする請求項１記載のＡＣアダプタ。
【発明の詳細な説明】
【０００１】
【発明の属する技術分野】
本発明は、交流を直流に変換して各種電子機器に直流電源を供給するＡＣアダプタであって、発熱部材の放熱構造を備えたＡＣアダプタに関する。
【０００２】
【従来の技術】
交流を直流に変換して各種電子機器に直流電源を供給するＡＣアダプタは、発熱性素子を有しているため、ＡＣアダプタの一部が発熱する。そのため、これを放熱する目的でアルミ等の金属板で発熱素子或いは基板組立部品全体を覆い、熱を発散させる手法がとられる（例えば、特許文献１参照。）。
【０００３】
図５に、従来のＡＣアダプタの一例を示す。図５に示すＡＣアダプタ５０は、各種部品が設けられたプリント配線基板５１が外装ケース５２，５３によって覆われてなる。プリント配線基板５１の部品実装面５４Ａには、コンデンサ５５、トランス５６、スイッチング素子５７が実装されている。これら各部品は、プリント配線基板５１の半田面５４Ｂに半田付けされている。
【０００４】
スイッチング素子５７は、発熱性素子であるため、放熱板５８を取り付けて素子の放熱が促進されるようになっている。
【０００５】
【特許文献】
特開平１１−２５１７８０
【０００６】
【発明が解決しようとする課題】
放熱板は、表面積が大きい方が熱放射効率がよくなる。ところが、放熱板の表面積が大きくなると外装ケースとの距離を一定に保つことが困難になり、外装ケースと放熱板とが密着する箇所では表面温度が局所的に上昇するが外装ケースと放熱板とが離間された箇所では表面温度の上昇がない、という温度斑が発生してしまう。
【０００７】
このような場合、放熱板の表面積を大きくしたのにも関わらず良好な放熱効率が得られず、使用者は、外装ケース表面の温度斑に機器故障や異常ではないかとの違和感を覚える。
【０００８】
そこで本発明は、上述のような課題に鑑みてなされたものであり、放熱効率を向上し、外装ケース表面の温度上昇を一定とするＡＣアダプタを提供することを目的とする。
【０００９】
【課題を解決するための手段】
上述の目的を達成するために、本発明に係るＡＣアダプタは、外装ケースと、部品実装面と半田面とを有するプリント基板と、プリント基板の部品実装面に実装され、裏面の半田面に半田付けされる発熱性素子と、外装ケースの内部形状と略同形状を有し発熱性素子が発する熱を放熱する放熱板と、外装ケース及び放熱板に接触し且つ該外装ケースと放熱板とを所定距離離間する離間部材とを備えることを特徴とする。
【００１０】
この離間部材は、放熱板が外装ケース側に型押しされてなる複数の凸状部であって、放熱板表面に均一に設けられることが好ましい。また、離間部材は、外装ケース内壁に均一に設けられた複数の凸状部であってもよい。
【００１１】
さらにこの離間部材は、放熱板と外装ケースとを固定する接着剤であってもよい。
【００１２】
【発明の実施の形態】
以下、本発明の具体例について、図面を参照して詳細に説明する。
【００１３】
本発明の具体例として示すＡＣアダプタ１は、図１に示すように、各種部品が設けられたプリント配線基板１０が外装ケース１１，１２によって覆われてなる。プリント配線基板１０の部品実装面１３Ａには、コンデンサ１４、トランス１５、スイッチング素子１６が実装されている。これら各部品は、プリント配線基板１０の半田面１３Ｂに半田付けされている。
【００１４】
スイッチング素子１６は、発熱性素子であるため、この素子の放熱を促進するようにアルミ板等の放熱板１７を設けるのであるが、本具体例では、放熱効率を向上するために、この放熱板１７の表面積を外装ケースの内部形状と略同サイズとする。
【００１５】
さらに、この放熱板１７には、組み立てた際に外装ケース裏面側に向かって凸形状となるような離間凸部１８を設ける。この離間凸部１８は、放熱板１７を型押し等の成形加工することで形成される。図２には、プリント配線基板１０と放熱板１７と外装ケース１１，１２とを組み付ける際の様子が示されている。
【００１６】
このように離間凸部１８を設けることにより、放熱板１７が外装ケース裏面に対して一定距離離間されて支持されるため、放熱板１７と外装ケース裏面とが局所的に接することがなく放熱によって伝播した熱による外装ケースの温度上昇が均一となる。
【００１７】
外装ケースと放熱板とを一定距離に保つ離間凸部は、放熱板１７を加工する方法以外でも実現できる。続いて図３に示すＡＣアダプタ２は、離間凸部を放熱板１７でなく外装ケース内側表面に設けた例である。ただし、図３において図１に示した構成と同一の構成に関しては、同一番号を付している。
【００１８】
図３に示すように、外装ケース裏面に同一高さを有する離間凸部１９を複数設けることにより、表面積の大きな放熱板１７が局所的に外装ケース裏面に接することが同様に防止される。
【００１９】
これにより、放熱板１７が離間凸部１９によって支持されるため、放熱板１７と外装ケース裏面とが局所的に接することがなく、放熱によって伝播した熱による外装ケースの温度上昇が均一となる。
【００２０】
また、上述した例のほかにも、図４に示すＡＣアダプタ３のように、放熱板１７と外装ケースとを固定する際に用いる接着剤２０を離間部材としてもよい。この場合も、放熱板１７と外装ケース裏面との間が一定距離離間され、同様の効果が得られる。
【００２１】
【発明の効果】
以上詳細に説明したように、本発明に係るＡＣアダプタは、外装ケースと、この外装ケースの内部形状と略同形状を有し発熱性素子が発する熱を放熱する放熱板との間に、外装ケース及び放熱板に接触し且つ該外装ケースと放熱板とを所定距離離間する離間部材とを備えることによって、放熱効率が向上し、外装ケース表面の温度上昇を斑なく一定とすることができる。
【図面の簡単な説明】
【図１】本発明の具体例として示すＡＣアダプタを説明する断面図である。
【図２】上記ＡＣアダプタを説明する斜視図である。
【図３】本発明の別の具体例として示すＡＣアダプタを説明する断面図である。
【図４】本発明の別の具体例として示すＡＣアダプタを説明する断面図である。
【図５】従来のＡＣアダプタを説明する断面図である。
【符号の説明】
１        ＡＣアダプタ
２        ＡＣアダプタ
３        ＡＣアダプタ
１０      プリント配線基板
１１      外装ケース
１２      外装ケース
１３Ａ    部品実装面
１３Ｂ    半田面
１４      コンデンサ
１５      トランス
１６      スイッチング素子
１７      放熱板
１８      離間凸部
１９      離間凸部
２０      接着剤
【図１】
2004266080.tif 000003
【図２】
2004266080.tif 000004
【図３】
2004266080.tif 000005
【図４】
2004266080.tif 000006
【図５】
2004266080.tif 000007